(57)【要約】【課題】切忘もしくは切タイマ等により強制的に通電ＯＦＦとなり、突然面状採暖具の温度が低下することを防止することを目的とする。【解決手段】面状採暖具本体に配設された発熱体１と、この発熱体１への通電を制御するコントローラー２からなり、コントローラー２には、電源の入り切りを行う電源ＳＷ３と、電源ＳＷ３入りからの通電時間をカウントする切忘カウント手段４と、切忘カウント手段４がカウントアップしたときに通電ＯＦＦ状態にする通電ＯＦＦ手段５と、切忘カウント手段４がカウントアップする所定時間前に切警告の表示を行う切警告表示手段６とを設けたもので、切忘時間経過による通電ＯＦＦ状態になる前に、使用者に対して警告ができることから、まもなく通電ＯＦＦになることを認識させ、使い勝手を向上させることができる。【選択図】図１
2005147535.tif 000002
【特許請求の範囲】
【請求項１】
面状採暖具本体に配設された発熱体と、この発熱体への通電を制御するコントローラーとを具備し、前記コントローラーには、電源の入り切りを行う電源ＳＷと、この電源ＳＷ入りからの通電時間をカウントする切忘カウント手段と、前記切忘カウント手段がカウントアップしたときに通電ＯＦＦ状態にする通電ＯＦＦ手段と、前記切忘カウント手段がカウントアップする所定時間前に切警告の表示を行う切警告表示手段と設けた面状採暖具。
【請求項２】
面状採暖具本体に配設された発熱体と、この発熱体への通電を制御するコントローラーとを具備し、前記コントローラーには、切時間を設定する切タイマＳＷと、切時間を設定してからの通電時間をカウントする切タイマカウント手段と、前記切タイマカウント手段がカウントアップしたときに通電ＯＦＦ状態にする通電ＯＦＦ手段と、前記切タイマカウント手段がカウントアップする所定時間前に切警告の表示を行う切警告表示手段とを設けた面状採暖具。
【請求項３】
面状採暖具本体に配設された発熱体と、この発熱体への通電を制御するコントローラーとを具備し、前記コントローラーには、電源の入り切りを行う電源ＳＷと、切時間を設定する切タイマＳＷと、前記電源ＳＷ入りからの通電時間をカウントする切忘カウント手段と、切時間が設定されてからの通電時間をカウントする切タイマカウント手段と、前記切忘カウント手段がカウントアップもしくは前記切タイマカウント手段がカウントアップしたときに通電ＯＦＦ状態にする通電ＯＦＦ手段と、切時間が設定されているときは切タイマカウント手段がカウントアップする所定時間前に切警告の表示を行い、切時間が設定されていないときには切忘カウント手段がカウントアップする所定時間前に切警告の表示を行う切警告表示手段とを設けた面状採暖具。
【請求項４】
コントローラーは、切警告時に切警告を解除する切警告解除手段を備えた請求項１〜３いずれか１項記載の面状採暖具。
【請求項５】
コントローラーは、通常の設定温度で制御する通常運転と、通常よりも高い設定温度で制御するパワー運転とを切り替える運転モード切替手段を備え、運転モード切替手段は、切警告状態の解除時には通常運転、通電ＯＦＦ状態の解除時ではパワー運転とする請求項４記載の面状採暖具。
【請求項６】
コントローラーは、切警告状態になる直前の状態を記憶しておく記憶手段を備え、切警告解除手段により切警告が解除された後は、記憶手段が記憶している状態に復帰させることを特徴とした請求項４または５記載の面状採暖具。
【発明の詳細な説明】
【技術分野】
【０００１】
本発明は、電気カーペットや電気毛布、床暖房等の面状採暖具に関するものである。
【背景技術】
【０００２】
従来、この種の面状採暖具は、例えば図９に示すように、面状採暖具（図示せず）に配設された複数の発熱体２１と、この発熱体２１への通電を制御するコントローラー２２からなり、コントローラー２２には、電源を入り切りする電源ＳＷ２３と、切換ＳＷ２４が設置されている。
【０００３】
ここで、切換ＳＷ２４を操作することで、複数の発熱体２１への通電を切り換える。すなわち暖房面積を切り換えることが可能となり、また暖房面積に応じた表示手段２５を備えることで、視覚的にも暖房面積が分かるような構成となっていた（例えば、特許文献１参照）。
【０００４】
また、面状採暖具は長時間使用するものであり、使用者が電源ＳＷ２３をＯＦＦするのを忘れた場合には通電し続けてしまい、不安全につながるおそれもあるので、一般的には、図１０に示すように、電源ＳＷ２３を入りにしてからの通電時間をカウントする切忘カウント手段２６と、切忘カウント手段２６が所定時間経過（カウントアップ）したときに通電を強制的にＯＦＦにする通電ＯＦＦ手段２７とを備えた構成となっており、使用者が電源ＳＷ２３を切りにし忘れても、所定時間経過すれば通電がＯＦＦし、より安全な面状採暖具を提供することができた。
【０００５】
これに加えて、使用者が任意の時間だけ通電したい場合を想定して、切タイマＳＷ２８を設け、切タイマＳＷ２８の操作によって、例えば２時間後に通電ＯＦＦ状態にする、あるいは４時間後に通電ＯＦＦ状態にする等の設定が可能となっていた。
【特許文献１】特開平８−１２１７９１号公報
【発明の開示】
【発明が解決しようとする課題】
【０００６】
しかしながら、前記従来の構成では、切忘時間もしくは設定した切時間が経過すると、使用者が使用している場合でも、強制的に通電ＯＦＦ状態となり、突然面状採暖具の温度が低下することから、使用者に不快感を与えていた。
【０００７】
本発明は、前記従来の課題を解決するもので、切忘時間や設定した切時間の経過による通電ＯＦＦ状態になる前に使用者に対して警告し、まもなく通電ＯＦＦになることを認識させ、使い勝手を向上させることを目的とするものである。
【課題を解決するための手段】
【０００８】
前記目的を達成するために本発明は、面状採暖具本体に配設された発熱体と、発熱体への通電を制御するコントローラーとを具備し、このコントローラーには、電源の入り切りを行う電源ＳＷと、電源ＳＷ入りからの通電時間をカウントする切忘カウント手段と、切忘カウント手段がカウントアップしたときに通電ＯＦＦ状態にする通電ＯＦＦ手段と、切忘カウント手段がカウントアップする所定時間前に切警告の表示を行う切警告表示手段とを設けたものである。
【０００９】
これにより、切忘時間経過による通電ＯＦＦ状態になる前に、使用者に対して警告ができることから、まもなく通電ＯＦＦになることを認識させ、使い勝手を向上させることができる。
【発明の効果】
【００１０】
本発明の面状採暖具によれば、切忘時間の経過等による通電ＯＦＦ状態になる前に、使用者に対して警告ができることから、まもなく通電ＯＦＦになることを認識させ、使い勝手を向上させることができる。
【発明を実施するための最良の形態】
【００１１】
本発明の実施形態は、面状採暖具本体に配設された発熱体と、発熱体への通電を制御するコントローラーとを具備し、コントローラーには、電源の入り切りを行う電源ＳＷと、電源ＳＷ入りからの通電時間をカウントする切忘カウント手段と、切忘カウント手段がカウントアップしたときに通電ＯＦＦ状態にする通電ＯＦＦ手段と、切忘カウント手段がカウントアップする所定時間前に切警告の表示を行う切警告表示手段とを設けた。
【００１２】
この構成とすることにより、切忘時間経過による通電ＯＦＦ状態になる前に、使用者に対して警告ができることから、まもなく通電ＯＦＦになることを認識させ、使い勝手を向上させることができる。
【００１３】
また、面状採暖具本体に配設された発熱体と、発熱体への通電を制御するコントローラーとを具備し、コントローラーには、切時間を設定する切タイマＳＷと、切時間を設定してからの通電時間をカウントする切タイマカウント手段と、切タイマカウント手段がカウントアップしたときに通電ＯＦＦ状態にする通電ＯＦＦ手段と、切タイマカウント手段がカウントアップする所定時間前に切警告の表示を行う切警告表示手段とを設けた。
【００１４】
この構成とすることにより、設定した切時間の経過による通電ＯＦＦ状態になる前に、使用者に対して警告ができることから、まもなく通電ＯＦＦになることを認識させ、使い勝手を向上させることができる。
【００１５】
さらに、面状採暖具本体に配設された発熱体と、発熱体への通電を制御するコントローラーとを具備し、コントローラーには、電源の入り切りを行う電源ＳＷと、切時間を設定する切タイマＳＷと、電源ＳＷ入りからの通電時間をカウントする切忘カウント手段と、切時間が設定されてからの通電時間をカウントする切タイマカウント手段と、切忘カウント手段がカウントアップもしくは切タイマカウント手段がカウントアップしたときに通電ＯＦＦ状態にする通電ＯＦＦ手段とを設けた。
【００１６】
したがって、切時間が設定されているときは切タイマカウント手段がカウントアップする所定時間前に切警告の表示を行い、切時間が設定されていないときには切忘カウント手段がカウントアップする所定時間前に切警告の表示を行う切警告表示手段とを備えた構成とすることにより、切忘時間がカウントアップする直前でも、切タイマＳＷが操作された場合には、切時間の設定が優先されることとなり、より使用者の意志・操作に準拠した面状採暖具を提供することができる。
【００１７】
前記コントローラーは、切警告時に切警告を解除する切警告解除手段を備えた構成とすることにより、切警告状態になった後も通電を続けたい場合には、使用者の意志によって通電を延長することができ、使い勝手が向上する。
【００１８】
前記コントローラーは、通常の設定温度で制御する通常運転と、通常よりも高い設定温度で制御するパワー運転とを切り替える運転モード切替手段を備え、運転モード切替手段は、切警告状態の解除時には通常運転、通電ＯＦＦ状態の解除時ではパワー運転とすることにより、切警告状態の解除時、すなわちまだ通電している状態では通常運転とすることにより不要な温度上昇を防ぎ、一方、通電ＯＦＦ状態の解除時ではパワー運転とすることで、素早く温度を立ち上げることができ、使用者に対してより快適な暖感覚を与えることができる。
【００１９】
前記コントローラーは、切警告状態になる直前の状態を記憶しておく記憶手段を備え、切警告解除手段により切警告が解除された後は、記憶手段が記憶している状態に復帰させることにより、切警告の解除時に、暖房面積の切換や省エネ設定等の設定を再度やり直す必要がなくなり、使い勝手が向上する。
【実施例】
【００２０】
以下本発明の実施例について、図面を参照しながら説明する。
【００２１】
（実施例１）
図１において、面状採暖具の発熱体１はコントローラー２でその通電が制御されるようにしてある。
【００２２】
コントローラー２には、電源の入り切りを行う電源ＳＷ３と、電源ＳＷ３を入りにしてからの通電時間をカウントする切忘カウント手段４と、切忘カウント手段４がカウントアップしたときに発熱体１への通電をＯＦＦ状態にする通電ＯＦＦ手段５とを具備する。
【００２３】
そして、前記切忘カウント手段４がカウントアップする所定時間前に切警告の表示を行う切警告表示手段６９が設けられている。
【００２４】
以上のように構成された面状採暖具について、以下その動作、作用を説明する。
【００２５】
電源ＳＷ３を入りにすることで、コントローラー２の制御により、発熱体１への通電が開始される。
【００２６】
また、例えば、使用者が電源ＳＷ３を切りにするのを忘れて外出した場合等においても、切忘カウント手段４において、電源ＳＷ３を入りにしてからの通電時間をカウントし、その時間が所定時間経過（一般的には６時間〜８時間程度）すれば、通電ＯＦＦ手段５が自動的に発熱体１への通電をＯＦＦ状態にし、電源ＳＷ３の切り忘れによる発熱体１への通電の継続を抑止することができる。
【００２７】
しかし、上記では外出時の電源ＳＷ３の切り忘れについて記載したが、例えば、朝から夜まで通電する等、切忘カウント手段４の所定時間を越えて使用する場合には、切忘カウント手段４のカウントアップ時には、通電ＯＦＦ手段５において、自動的に発熱体１への通電がＯＦＦしてしまうため、使用者が使用しているにもかかわらず、面状採暖具の温度が低下し、使用者に対して不快感を与えてしまう。
【００２８】
ここで、発熱体１への通電がＯＦＦすることで面状採暖具の温度が低下し、使用者に不快感を与える前に、まもなく通電がＯＦＦ状態になるという警告を、切忘カウント手段４がカウントアップする所定時間前（例えば１０分程度前）に、切警告表示手段６、例えば、ＬＥＤの点滅等により表示するようにした。
【００２９】
以上のように、電源ＳＷ３の切り忘れによって通電がＯＦＦ状態になる所定時間前にＬＥＤの点滅等切警告表示手段６によって警告することで、使用者に対して、まもなく通電ＯＦＦになることを認識させることができ、使い勝手を向上させることができる。
【００３０】
なお、本実施例では、切警告の手段をＬＥＤの点滅と記載したが、それ以外にも使用者に対して警告できるもの、例えば、ＬＥＤの点灯やブザー報知等でも同様の効果が得られる。
【００３１】
（実施例２）
図２に示すように、面状採暖具の発熱体１への通電をコントローラー２で制御するようにしており、このコントローラー２には、切時間を設定する切タイマＳＷ７と、切時間が設定されてからの通電時間をカウントする切タイマカウント手段８と、切タイマカウント手段８がカウントアップしたときに発熱体１への通電をＯＦＦ状態にする通電ＯＦＦ手段５と、切タイマカウント手段８がカウントアップする所定時間前に切警告の表示を行う切警告表示手段６とからなる。
【００３２】
以上のように構成された面状採暖具について、以下その動作、作用を説明する。
【００３３】
切タイマＳＷ７の操作によって、発熱体１への通電を所定時間後にＯＦＦする切時間を設定することができる。例えば、切タイマＳＷ７の一回操作で２時間後切り、二回操作で４時間後切り、三回操作で６時間後切り、等の切り時間が設定できる。
【００３４】
この切タイマＳＷ７操作による切時間設定ができることで、使用者は自らが使用したい時間分だけの通電時間を設定できるため、無駄な通電を抑制し、省エネにもつながる。
【００３５】
しかし、切タイマカウント手段８がカウントアップした時点で、通電ＯＦＦ手段５において、自動的に発熱体１への通電がＯＦＦしてしまうため、仮に使用者が自ら設定した切時間を越えて使用する場合で、使用中であるにもかかわらず、面状採暖具の温度が低下し、使用者に対して不快感を与えてしまう。
【００３６】
ここで、発熱体１への通電がＯＦＦすることで面状採暖具の温度が低下し、使用者に不快感を与える前に、まもなく通電がＯＦＦ状態になるという警告を、切タイマカウント手段８がカウントアップする所定時間前（例えば１０分程度前）に、切警告表示手段６において、例えば、ＬＥＤの点滅等による表示にて行う。
【００３７】
以上のように、切タイマＳＷ７の操作によって設定した切時間が経過し、通電がＯＦＦ状態になる所定時間前にＬＥＤの点滅等切警告表示手段６によって警告することで、使用者に対して、まもなく通電ＯＦＦになることを認識させることができ、使い勝手を向上させることができる。
【００３８】
（実施例３）
図３において、面状採暖具の発熱体１の通電はコントローラー２で制御される。
【００３９】
上記コントローラー２には、電源を入り切りする電源ＳＷ３と、この電源ＳＷ３を入りにしてからの通電時間をカウントする切忘カウント手段４と、切時間を設定する切タイマＳＷ７と、切時間が設定されてからの通電時間をカウントする切タイマカウント手段８と、切忘カウント手段４がカウントアップもしくは切タイマカウント手段８がカウントアップしたときに通電ＯＦＦ状態にする通電ＯＦＦ手段５とを備え、切時間が設定されているときは切タイマカウント手段８がカウントアップする所定時間前に切警告の表示を行い、切時間が設定されていないときには切忘カウント手段４がカウントアップする所定時間前に切警告の表示を行う切警告表示手段９とからなる。
【００４０】
図４は、電源ＳＷ３を操作し、通電を開始してからの切忘カウント手段４と切タイマカウント手段８のカウント動作を表したものである。ここで、切忘カウント手段４のカウントアップ時間を８時間、切タイマＳＷ８の操作により設定する切時間を２時間と仮定している。
【００４１】
ここで、実施例１及び実施例２に記載の通り、切忘カウント手段４、もしくは切タイマカウント手段８のカウントアップによって、発熱体１への通電がＯＦＦされるが、切忘カウント手段４のカウントアップ前に切タイマＳＷ７が操作された（切時間が設定された）場合でも、切忘カウント手段４のカウントアップで通電ＯＦＦしてしまうと、使用者が切タイマＳＷ７の操作によって、切時間を設定したにも関わらず、切時間経過前に通電ＯＦＦすることとなり、使用者に対して不快感を与えてしまう。
【００４２】
そこで、図５に示すように、切忘カウント手段４がカウントアップするまでの時間よりも設定した切時間の方が長い場合には、切忘カウント手段４ではなく、切タイマカウント手段８のカウントアップする所定時間前に切警告を表示することとする。
【００４３】
すなわち、切時間が設定されているときには、切忘時間の経過時に通電をＯＦＦするのではなく、設定した切時間の経過時に通電をＯＦＦすることとなる。
【００４４】
以上のように、切時間が設定されているときは切タイマカウント手段８がカウントアップする所定時間前に切警告の表示を行い、切時間が設定されていないときには切忘カウント手段４がカウントアップする所定時間前に切警告の表示を行う切警告表示手段６とを備えた構成とすることにより、切忘時間がカウントアップする直前でも、切タイマＳＷ７が操作された（切時間が設定された）場合には、設定された切時間が優先されることとなり、より使用者の意志・操作に準拠した面状採暖具を提供することができる。
【００４５】
（実施例４）
図６は、例えば、実施例１を示す図１の構成に切警告解除手段１０を付加したもので、切警告表示手段６によって切警告している際に、切警告状態を解除するようにしたものである。もちろん、この切警告解除手段１０は実施例２および３に付加してもよい。
【００４６】
これは、実施例１〜３に記載のように、切忘カウント手段４によって切警告状態になったときは、例えば電源ＳＷ３の切り入りによって切警告状態を解除でき、一方、切タイマカウント手段８によって切警告状態になったときは、例えば切タイマＳＷ７の操作によって切警告状態を解除できるようにするものである。
【００４７】
以上のように、切警告解除手段１０を備えた構成とすることにより、切警告状態になった後も通電を続けたい場合には、使用者の意志によって通電を延長することができ、使い勝手が向上する。
【００４８】
（実施例５）
本発明の第５の実施例について図面を用いて説明する。
【００４９】
図７は実施例４の構成に発熱体１を通常の設定温度で制御する通常運転と、通常よりも高い設定温度で制御するパワー運転とを切り換える運転モード切換手段１１を付加したものである。
【００５０】
ここで、切警告状態は発熱体１に対して通電を行っている状態であり、通電ＯＦＦ状態は発熱体１に対して通電を行っていない状態である。
【００５１】
このことから、切警告状態では、面状採暖具の温度は上昇しており、この切警告状態を解除する際は、通常の設定温度での制御でよく、一方、通電ＯＦＦ状態を解除する際には、面状採暖具の温度は低下していることから、通常よりも高い設定温度で制御する必要がある。
【００５２】
これを実現するために、運転モード切換手段１１は、切警告状態の解除時には通常運転、通電ＯＦＦ状態の解除時には通常よりも高い設定温度で制御するパワー運転とに切り換えることとする。
【００５３】
以上のように、運転モード切替手段１１を設け、切警告状態の解除時、すなわちまだ通電している状態では通常運転とすることにより不要な温度上昇を防ぎ、一方、通電ＯＦＦ状態の解除時ではパワー運転とすることで、素早く温度を立ち上げることができ、使用者に対してより快適な暖感覚を与えることができる。
【００５４】
（実施例６）
図８は実施例４の構成に切警告状態になる直前の状態を記憶しておく記憶手段１２を付加したもので、
例えば面状採暖具の暖房面積の切換や省エネ設定等の各種設定を記憶しておくものである。
【００５５】
ここで、例えば暖房面積をコントローラー側の面で通電、かつ省エネ設定入りという状態で通電していて、切忘もしくは切タイマ設定により切警告状態になった場合を考える。
【００５６】
このとき、この切警告状態を解除した場合に、例えば暖房面積の設定が初期設定である全面、省エネ設定は初期設定である省エネなしという状態に復帰してしまうと、使用者は再度暖房面積の切換と省エネ設定を実施する必要があり、非常に使い勝手が悪かった。
【００５７】
そこで、記憶手段１２を備え、切警告になる直前の状態を記憶しておき、切警告時の解除時には、この記憶手段１２に記憶している状態、すなわち切警告直前まで通電していた状態にまで復帰させることとする。
【００５８】
以上のように、切警告解除手段１０により切警告が解除された後は、記憶手段１２が記憶している状態に復帰させることにより、切警告の解除時に、暖房面積の切換や省エネ設定等の設定を再度やり直す必要がなくなり、使い勝手が向上する。
【産業上の利用可能性】
【００５９】
以上のように、本発明にかかる面状採暖具は、切忘時間の経過等で通電ＯＦＦになる前に使用者に対して警告できることから、暖房機器などにも応用できる。
【図面の簡単な説明】
【００６０】
【図１】本発明の実施例１における面状採暖具のブロック図
【図２】本発明の実施例２における面状採暖具のブロック図
【図３】本発明の実施例３における面状採暖具のブロック図
【図４】切忘時間優先の場合のカウント手段の動作を表した図
【図５】切時間優先の場合のカウント手段の動作を表した図
【図６】本発明の実施例４における面状採暖具のブロック図
【図７】本発明の実施例５における面状採暖具のブロック図
【図８】本発明の実施例６における面状採暖具のブロック図
【図９】従来の面状採暖具のブロック図
【図１０】従来の他の面状採暖具のブロック図
【符号の説明】
【００６１】
１  発熱体
２  コントローラー
３  電源ＳＷ
４  切忘カウント手段
５  通電ＯＦＦ手段
６  切警告表示手段
７  切タイマＳＷ
８  切タイマカウント手段
１０  切警告解除手段
１１  運転モード切換手段
１２  記憶手段
【図１】
2005147535.tif 000003
【図２】
2005147535.tif 000004
【図３】
2005147535.tif 000005
【図４】
2005147535.tif 000006
【図５】
2005147535.tif 000007
【図６】
2005147535.tif 000008
【図７】
2005147535.tif 000009
【図８】
2005147535.tif 000010
【図９】
2005147535.tif 000011
【図１０】
2005147535.tif 000012